(57)【要約】【課題】媒体を介したコンテンツの購入状況をユーザ毎に適切に管理すること。【解決手段】カード発行部３０２は、提供対象のコンテンツを一意に識別するコンテンツＩＤと、カードＣ１乃至Ｃｍの夫々を一意に識別するシリアルＩＤとの組合せを付した、当該カードＣ１乃至Ｃｍを発行する。ＩＤ組合せＤＢ１１１は、発行されたカードＣ１乃至Ｃｍの夫々について、シリアルＩＤとコンテンツＩＤとの組合せを記憶する。ＩＤ入力受付部４０２は、所定コンテンツの専用ＵＲＬにより特定される専用ページにおいて、ユーザによるシリアルＩＤの入力を受け付ける。ＩＤ組合せ確認部１０５は、所定コンテンツのコンテンツＩＤと受け付けられたシリアルＩＤとの組合せが、ＩＤ組合せＤＢ１１１に存在するか否かを確認する。購入受付部２０１は、組合せの存在が確認された場合、所定コンテンツのコンテンツＩＤとユーザＩＤとを関連付けてユーザＤＢ２１１に記憶させる。【選択図】図３
2017083938.tif 000002
【特許請求の範囲】
【請求項１】
媒体を介してコンテンツを提供する情報処理システムにおいて、
提供対象のコンテンツを一意に識別する第１識別子と、媒体を一意に識別する第２識別子との組み合わせを媒体に付し、当該媒体を発行する媒体発行手段と、
発行された前記媒体に付された前記第１識別子と前記第２識別子との組合せを記憶するＩＤ組合せ記憶手段と、
所定コンテンツの専用ＵＲＬにより特定される専用ページにおいて、発行された前記媒体を保有するユーザによる、当該媒体に付された前記第２識別子の入力を受け付ける受付手段と、
前記所定コンテンツの前記第１識別子と、前記受付手段により受け付けられた前記第２識別子との組合せが、前記ＩＤ組合せ記憶手段に記憶された前記第１識別子と前記第２識別子との組合せのうち、いずれかに一致するか否かを確認する組合せ確認手段と、
前記組合せ確認手段により一致が確認された場合、前記所定コンテンツの前記第１識別子と、前記受付手段により受け付けられた前記第２識別子を入力した前記ユーザを一意に識別する第３識別子とを関連付けて記憶するユーザ記憶手段と、
を含む
情報処理システム。
【発明の詳細な説明】
【技術分野】
【０００１】
本発明は、情報処理システムに関する。
【背景技術】
【０００２】
従来の特許文献１には、次のような方法が開示されている。即ち、インターネット上のＷｅｂコンテンツには、夫々異なったＵＲＬが割り当てられている。媒体には、当該ＵＲＬに対応する識別コードが印刷されている。そこでユーザは、その識別コードを携帯電話から入力することによって、目的のＷｅｂコンテンツへのアクセスが可能となる。
【０００３】
また、特許文献２には、次のような方法が開示されている。即ち、ＷｅｂコンテンツのＵＲＬを示す２次元コードが貼付された媒体を利用して、その２次元コードを携帯電話で読み取ることによって、目的のＷｅｂコンテンツへのアクセスが可能となる。
【先行技術文献】
【特許文献】
【０００４】
【特許文献１】特開２００４−７０６５２号公報
【特許文献２】特開２００８−４２３８９号公報
【発明の概要】
【発明が解決しようとする課題】
【０００５】
しかしながら、特許文献１及び２を含め従来の媒体には、Ｗｅｂコンテンツの所在地であるＵＲＬを特定するコードが印刷されているにすぎない。このため、媒体を介したコンテンツの購入状況をユーザ毎に適切に管理することができなかった。
【０００６】
本発明は、このような状況に鑑みてなされたものであり、媒体を介したコンテンツの購入状況をユーザ毎に適切に管理することを目的とする。
【課題を解決するための手段】
【０００７】
上記目的を達成するため、本発明の一態様の情報処理システムは、
媒体を介してコンテンツを提供する情報処理システムであって、
提供対象のコンテンツを一意に識別する第１識別子と、媒体を一意に識別する第２識別子との組み合わせを所定の媒体に付し、当該媒体を発行する媒体発行手段と、
発行された前記媒体に付された前記第１識別子と前記第２識別子との組合せを記憶するＩＤ組合せ記憶手段と、
所定コンテンツの専用ＵＲＬにより特定される専用ページにおいて、発行された前記媒体を保有するユーザによる、当該媒体に付された前記第２識別子の入力を受け付ける受付手段と、
前記所定コンテンツの前記第１識別子と、前記受付手段により受け付けられた前記第２識別子との組合せが、前記ＩＤ組合せ記憶手段に記憶された前記第１識別子と前記第２識別子との組合せのうち、いずれかに一致するか否かを確認する組合せ確認手段と、
前記組合せ確認手段により一致が確認された場合、前記所定コンテンツの前記第１識別子と、前記受付手段により受け付けられた前記第２識別子を入力した前記ユーザを一意に識別する第３識別子とを関連付けて記憶するユーザ記憶手段と、
を含む。
【発明の効果】
【０００８】
本発明によれば、媒体を介したコンテンツの購入状況をユーザ毎に適切に管理することができる。
【図面の簡単な説明】
【０００９】
【図１】本発明の一実施形態に係る音声コンテンツ販売システムの構成を示す図である。
【図２】図１の音声コンテンツ販売システムのうち、管理サーバのハードウェア構成を示すブロック図である。
【図３】図１の音声コンテンツ販売システムの機能的構成のうち、音声コンテンツの購入用のカードＣを発行してから、ユーザＵが音声コンテンツを購入して、ユーザ端末４にダウンロードして再生させるまでの一連の処理を実現させる機能的構成の一例を示す機能ブロック図である。
【図４】図１の音声コンテンツ販売システムのうち、コンテンツＤＢの構造の一例を示す図である。
【図５】図１の音声コンテンツ販売システムのうち、ＩＤ組合せＤＢの構造の一例を示す図である。
【図６】図１の音声コンテンツ販売システムのうち、媒体としてのカードの一例を示す正面図である。
【図７】図１の音声コンテンツ販売システムのうち、ユーザＤＢの構造の一例を示す図である。
【発明を実施するための形態】
【００１０】
以下、本発明の実施形態について、図面を用いて説明する。
【００１１】
図１は、本発明の情報処理システムの一実施形態に係る音声コンテンツ販売システムの構成を示す図である。
【００１２】
図１に示す音声コンテンツ販売システムは、管理サーバ１と、コンテンツ配信サーバ２と、カード発行装置３と、ユーザＵ１乃至Ｕｎ（ｎは１以上の任意の整数値）が操作するユーザ端末４−１乃至４−ｎとが、インターネット等の所定のネットワークＮを介して相互に接続されることで構成される。
【００１３】
管理サーバ１は、コンテンツ配信サーバ２、カード発行装置３及びユーザ端末４−１乃至４−ｎ夫々の各動作を管理すべく、各種処理を実行する。
【００１４】
コンテンツ配信サーバ２は、ユーザＵｋ（ｋは、１乃至ｎのうちの任意の整数値）が、ユーザ端末４−ｋに対して所定の操作を行った場合に、当該ユーザ端末４−ｋに対し音声コンテンツを配信する。
【００１５】
カード発行装置３は、ユーザＵｋが音声コンテンツを購入する際に利用するカードを発行する。
本実施形態では、音声コンテンツには、それを一意に特定する識別子（以下、「コンテンツＩＤ」と呼ぶ）が付される。また、カードには、それを一意に特定する識別子（以下、「シリアルＩＤ」と呼ぶ）が付される。
【００１６】
即ち、所定の音声コンテンツの購入用のカードには、当該音声コンテンツのコンテンツＩＤと、当該カードのシリアルＩＤとの組合せが印刷されている。即ち、カード発行装置３は、所定の音声コンテンツの購入用のカードとして、当該音声コンテンツのコンテンツＩＤと、当該カードのシリアルＩＤとの組合せを印刷したカードを発行する。
図１の例では、ｍ枚（ｍは１以上の任意の整数値）のカードＣ１乃至Ｃｍがカード発行装置３により発行されている。
【００１７】
ユーザ端末４−１乃至４−ｎの夫々は、スマートフォン等で構成され、ユーザＵ１乃至Ｕｎの夫々が所定の操作を行うことにより、所定の音声コンテンツを購入し、購入後の音声コンテンツをコンテンツ配信サーバ２からダウンロードして、再生する。
【００１８】
なお、以下、ユーザＵ１乃至Ｕｎ、ユーザ端末４−１乃至４−ｎ及びカードＣ−１乃至Ｃ−ｎの夫々を個々に区別する必要がない場合、これらをまとめて、「ユーザＵ」、「ユーザ端末４」及び「カードＣ」と呼ぶ。
【００１９】
具体的には例えば、所定の音声コンテンツの購入の流れは、次の通りになる。
ユーザＵは、所定の音声コンテンツの購入用カードＣを入手すると、ユーザ端末４を操作して、当該音声コンテンツの専用ＵＲＬを入力して、当該専用ＵＲＬで特定される専用ページにアクセスする。
【００２０】
なお、専用ページへのアクセス手法は、特に限定されず、専用ＵＲＬをユーザが手入力して専用ページにアクセスする手法を採用してもよいし、当該専用ＵＲＬを示す２次元コード等をカードＣに印刷して、ユーザ端末４が当該２次元コード等を読み取ることにより自動的に専用ＵＲＬを入力して専用ページにアクセスする手法を採用してもよい。
【００２１】
また、コンテンツＩＤと専用ＵＲＬとは別々に用意してもよいが、コンテンツＩＤを専用ＵＲＬの少なくとも一部に含めてもよい。本実施形態では説明の便宜上、コンテンツＩＤと専用ＵＲＬとは一致しているものとする。
次に、当該専用ページにおいてシリアルＩＤの入力が求められるので、ユーザＵは、ユーザ端末４を操作して、カードＣに印刷されたシリアルＩＤを入力する。
【００２２】
管理サーバ１は、専用ページに対応する音声コンテンツのコンテンツＩＤ（本実施形態では専用ＵＲＬ）と、ユーザＵにより入力されたシリアルＩＤとの組合せが、カードＣの発行時に保持されたコンテンツＩＤとシリアルＩＤとの組合せと一致する場合、当該ユーザＵを正当な購入予定者として認証する。
【００２３】
このような認証に成功した場合、コンテンツ配信サーバ２は、当該音声コンテンツのコンテンツＩＤと、ユーザＵのユーザＩＤとを関連付けて、所定のデータベース（以下、「ユーザＤＢ」と呼ぶ）に記憶する。
【００２４】
このようにして、ユーザＵは、音声コンテンツの購入が完了した後、当該音声コンテンツをコンテンツ配信サーバ２からユーザ端末４にダウンロードさせて、再生させることができる。
【００２５】
図２は、図１の音声コンテンツ販売システムのうち、管理サーバのハードウェア構成を示すブロック図である。
【００２６】
管理サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０と、を備えている。
【００２７】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００２８】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００２９】
出力部１６は、ディスプレイやスピーカ等で構成され、各種情報を画像や音声として出力する。
入力部１７は、キーボードやマウス等で構成され、各種情報を入力する。
記憶部１８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（図１の例ではコンテンツ配信サーバ２、カード発行装置３及びユーザ端末４）との間で通信を行う。
【００３０】
ドライブ２０は、必要に応じて設けられる。ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部１８に記憶されている各種データも、記憶部１８と同様に記憶することができる。
【００３１】
なお、図示はしないが、コンテンツ配信サーバ２と、カード発行装置３と、ユーザ端末４とも、上述の図２の管理サーバ１と基本的に同様のハードウェア構成を有している。
【００３２】
図３は、図１の音声コンテンツ販売システムの機能的構成のうち、音声コンテンツの購入用のカードＣを発行してから、ユーザＵが音声コンテンツを購入して、ユーザ端末４にダウンロードして再生させるまでの一連の処理を実現させる機能的構成の一例を示す機能ブロック図である。
【００３３】
図３に示すように、管理サーバ１のＣＰＵ１１等においては、コンテンツＩＤ取得部１０１と、シリアルＩＤ付与部１０２と、ＩＤ組合せ部１０３と、コンテンツ購入サイト管理部１０４と、ＩＤ組合せ確認部１０５とが機能する。また、管理サーバ１の記憶部１８の一領域には、ＩＤ組合せＤＢ１１１が設けられている。
【００３４】
また、コンテンツ配信サーバ２の図示せぬＣＰＵにおいては、購入受付部２０１と、コンテンツ配信部２０２とが機能する。また、コンテンツ配信サーバ２の図示せぬ記憶部には、ユーザＤＢ２１１と、コンテンツＤＢ２１２とが設けられている。
【００３５】
また、カード発行装置３の図示せぬＣＰＵにおいては、ＩＤ組合せ取得部３０１と、カード発行部３０２とが機能する。
また、ユーザ端末４の図示せぬＣＰＵにおいては、ＩＤ入力受付部４０２と、コンテンツ再生制御部４０３とが機能する。また、ユーザ端末４は、操作部４０１と、出力部４０４とを備える。
【００３６】
コンテンツ配信サーバ２のコンテンツＤＢ２１２に記憶された音声コンテンツの夫々には予め、一意のコンテンツＩＤ（本実施形態では専用サイトの専用ＵＲＬ）が夫々付与されている。即ち、コンテンツＤＢ２１２は、複数の音声コンテンツの夫々を、夫々のコンテンツＩＤと対応付けて記憶している。
【００３７】
図４は、図１の音声コンテンツ販売システムのうち、コンテンツＤＢ２１２の構造の一例を示す図である。
【００３８】
図４に示す例では、コンテンツ配信サーバ２が備えるコンテンツＤＢ２１２は、音声コンテンツに係る音声ファイルの夫々を、コンテンツＩＤと対応付けて記憶している。なお、図４の例では、説明を容易なものとすべく、コンテンツＩＤはＭ１乃至Ｍｐとされているが、上述した様に本実施形態では、コンテンツＩＤは専用サイトの専用ＵＲＬとされている。
【００３９】
図３に戻り、管理サーバ１のコンテンツＩＤ取得部１０１は、販売対象の音声コンテンツの購入用のカードＣの発行前に、当該販売対象の音声コンテンツのコンテンツＩＤを、コンテンツＤＢ２１２から取得する。
【００４０】
シリアルＩＤ付与部１０２は、販売対象の音声コンテンツの購入用のカードＣ毎に、一意のシリアルＩＤを付与する。
【００４１】
管理サーバ１のＩＤ組合せ部１０３は、販売対象の音声コンテンツのコンテンツＩＤと、当該販売対象の音声コンテンツの購入用のカードＣ毎に付与されたシリアルＩＤ（図３の例ではｍ個のシリアルＩＤ）の夫々とを組合せて、ＩＤ組合せＤＢ１１１に記憶させる。
【００４２】
図５は、図１の音声コンテンツ販売システムのうち、ＩＤ組合せＤＢ１１１の構造の一例を示す図である。
【００４３】
図５に示す例では、管理サーバ１が備えるＩＤ組合せＤＢ１１１は、音声コンテンツのコンテンツＩＤ毎に、１以上のカードＣの夫々のシリアルＩＤと、購入済みフラグとを対応付けて記憶している。
つまり、所定の１種類の音声コンテンツは、１枚以上のカードＣの夫々により個別に販売される。
【００４４】
例えば図５の例では、コンテンツＩＤが「Ｍ１」の音声コンテンツは１０枚のカードＣにより販売され、これら１０枚のカードＣの夫々にはシリアルＩＤとして「Ｃ１」乃至「Ｃ１０」の夫々が付される。そして、これら１０枚のカードＣの夫々について、当該音声コンテンツをユーザが購入済みであるか否かを示す購入済みフラグが対応付けられている。なお、図５の例では、購入済みフラグが立っている場合（購入済みの場合）には「〇」で示しており、購入済みフラグが降りている場合（未購入の場合）には「×」で示している。
【００４５】
図３に戻り、カード発行装置３のＩＤ組合せ取得部３０１は、販売対象の音声コンテンツの購入用のカードＣを１枚発行する毎に、当該販売対象の音声コンテンツのコンテンツＩＤと、所定の１つのシリアルＩＤとの組合せを、ＩＤ組合せＤＢ１１１から取得する。
【００４６】
カード発行装置３のカード発行部３０２は、ＩＤ組合せ取得部３０１が取得したＩＤの組合せ、即ち、当該販売対象の音声コンテンツのコンテンツＩＤと、所定の１つのシリアルＩＤとの組合せをカードＣに印刷等したうえで、当該カードＣを発行する。
【００４７】
図６は、図１の音声コンテンツ販売システムのうち、媒体としてのカードＣの一例を示す正面図である。
【００４８】
図６の例のカードＣには、販売対象の音声コンテンツに関連する絵柄等が大きく印刷され、右下部の領域ＣＣには、当該音声コンテンツに付与されたコンテンツＩＤ（専用ＵＲＬ）が２次元コードとして付され、左下部の領域ＣＳには、当該カードＣを一意に示すシリアルＩＤが付されている。
【００４９】
図３に戻り、このようにして、販売対象の音声コンテンツのコンテンツＩＤ（専用ＵＲＬ）と、カードＣを識別するシリアルＩＤが付された当該カードＣは、各種各様な流通経路を辿り、所定の１人のユーザＵに取得される。
【００５０】
カードＣを取得したユーザＵは、ユーザ端末４の操作部４０１を操作することにより、販売対象の音声コンテンツの専用ＵＲＬ（本実施形態ではコンテンツＩＤ）を入力する。本実施形態では、ユーザＵは、ユーザ端末４の図示せぬカメラ等により図６の２次元コードを撮影することにより、専用ＵＲＬ（本実施形態ではコンテンツＩＤ）を入力する。
この場合、ユーザ端末４のＩＤ入力受付部４０２は、専用ＵＲＬ（本実施形態ではコンテンツＩＤ）の入力を受付け、専用サイトにアクセスする。
【００５１】
ここで、専用サイトは、コンテンツ配信サーバ２により管理されてもよいが、本実施形態では管理サーバ１のコンテンツ購入サイト管理部１０４により管理されているものとする。つまり、コンテンツ購入サイト管理部１０４は、ユーザ端末４からアクセスがあると、当該ユーザ端末４の表示画面等に専用サイトを提示する。そして、コンテンツ購入サイト管理部１０４は、当該専用サイトを通じて、シリアルＩＤの入力をユーザＵに求める。
【００５２】
そこで、ユーザＵは、図６の左下部の領域ＣＳに付されたシリアルＩＤを、ユーザ端末４の操作部４０１を操作することにより、入力する。つまり、ユーザ端末４のＩＤ入力受付部４０２は、当該シリアルＩＤを受付けて、専用サイトの所定の入力領域に入力し、管理サーバ１のコンテンツ購入サイト管理部１０４に送信する。
【００５３】
管理サーバ１のＩＤ組合確認部１０５は、このようにしてユーザ端末４から送信されてコンテンツ購入サイト管理部１０４に取得されたＩＤの組合せ（コンテンツＩＤとシリアルＩＤ）が、ＩＤ組合せＤＢ１１１に記憶された複数のＩＤの組合せ（コンテンツＩＤとシリアルＩＤ）のうちのいずれかに一致するか否かを確認する。
ＩＤ組合確認部１０５は、一致するものがあることを確認した場合、当該ユーザＵを正当な購入予定者として認証する。ＩＤ組合確認部１０５は、認証が成功した旨をコンテンツ配信サーバ２の購入受付部２０１に通知する。
【００５４】
なお本実施形態では、管理サーバ１のＩＤ組合せ確認部１０５は、認証済みのＩＤの組合せ、換言するとユーザＵにより購入済みのＩＤの組合せに対して、購入済みのフラグを立てる（図５参照）。
これより後、管理サーバ１のＩＤ組合せ確認部１０５は、購入済みのフラグが立っているＩＤの組合せがユーザ端末４から送信されてきても、一致するとの判定はせず、即ち認証は失敗であると判断して、音声コンテンツの購入を禁止する。即ち、本実施形態では、１枚のカードＣによって音声コンテンツの購入は１回に制限されている。つまり、カードＣの購入者が、音声コンテンツを購入した後で友人等第三者に当該カードＣを譲渡しても、当該第三者は、当該カードＣを用いて音声コンテンツを購入することはできない。このようにして、音声コンテンツの供給側の利益を確実に確保することができる。
一方、ユーザＵにとっては、カードＣには各種絵柄が印刷等されているので、音声コンテンツを購入済みであっても、コレクションの対象としてカードＣを保有することもできる。
【００５５】
コンテンツ配信サーバ２の購入受付部２０１は、ユーザＵの認証が成功した旨が管理サーバ１から通知された場合、当該ユーザＵのユーザＩＤと、購入対象の音声コンテンツのコンテンツＩＤとを対応付けて、ユーザＤＢ２１１に記憶させる。
【００５６】
図７は、図１の音声コンテンツ販売システムのうち、ユーザＤＢ２１１の構造の一例を示す図である。
【００５７】
図７に示す例では、コンテンツ配信サーバ２が備えるユーザＤＢ２１１は、ユーザＩＤ毎に、購入済みの音声コンテンツを示すコンテンツＩＤを対応付けて記憶している。
例えば図７の例では、ユーザＩＤが「Ｕ１」であるユーザＵについては、コンテンツＩＤが「Ｍ１」である音声コンテンツと、コンテンツＩＤが「Ｍ２」である音声コンテンツとを購入済みであることがわかる。
【００５８】
これにより、例えば、ユーザＵ１は、コンテンツＩＤＭ１及びＭ２に係る音声コンテンツを既に購入済みであるということを管理することができる。
【００５９】
このようにして、ユーザＵは、カードＣを介して、音声コンテンツを購入することができる。
その後、ユーザＵは、ユーザ端末４の操作部４０１を操作して、音声コンテンツの再生を指示することができる。
ユーザ端末４のコンテンツ再生制御部４０３は、当該指示を受け取ると、当該音声コンテンツのダウンロードの要求をコンテンツ配信サーバ２に通知する。
コンテンツ配信サーバ２のコンテンツ配信部２０２は、当該要求を受付けると、ユーザＵのユーザＩＤとコンテンツＩＤとの組合せをユーザＤＢ２１１から検索し、当該コンテンツＩＤに対応する音声コンテンツをコンテンツＤＢ２１２から抽出する。
【００６０】
このとき、コンテンツ配信サーバ２の電子透かし埋込部２２１は、抽出された音声コンテンツに対して、ユーザＵ毎かつ音声コンテンツ毎に一意の電子透かしを埋め込む。
なお、電子透かしの手法は、特に限定されず、任意の手法を採用することができる。
コンテンツ配信部２０２は、ユーザＵ毎かつ音声コンテンツ毎に一意の電子透かしが埋め込まれた当該音声コンテンツを、ダウンロードの要求をしたユーザ端末４に配信する。
【００６１】
ユーザ端末４のコンテンツ再生制御部４０３は、コンテンツ配信サーバ２のコンテンツ配信部２０２から配信された音声コンテンツをダウンロードして、出力部４０４から出力するための制御を実行する。
【００６２】
以上、本発明の一実施形態について説明したが、本発明は、上述の実施形態に限定されるものではなく、本発明の目的を達成できる範囲での変形、改良等は本発明に含まれるものである。
【００６３】
例えば、上述の実施形態では、音声コンテンツが販売対象とされたが、特にこれに限定されず、配信可能な任意のコンテンツを販売対象とすることができる。
ここで、コンテンツとは、映画、音楽、演劇、文芸、写真、漫画、アニメーション、コンピュータゲームその他の文字、図形、色彩、音声、動作若しくは映像若しくはこれらを組み合わせたもの又はこれらに係る情報を、電子計算機を介して提供するためのプログラム（電子計算機に対する指令であって、一の結果を得ることができるように組み合わせたものをいう。）であって、人間の創造的活動により生み出されるものをいう。
また、音声コンテンツとは、コンテンツの主要な要素として音声を含むものをいう。
【００６４】
また例えば、上述の実施形態では、コンテンツの販売にはカードＣが採用されたが、特にこれに限定されず、コードを付すことが可能な任意の媒体を採用することができる。
【００６５】
例えば、図２に示すハードウェア構成は、本発明の目的を達成するための例示に過ぎず、特に限定されない。
【００６６】
また、図３に示す機能ブロック図は、例示に過ぎず、特に限定されない。即ち、上述した一連の処理を全体として実行できる機能が情報処理システムに備えられていれば足り、この機能を実現するためにどのような機能ブロックを用いるのかは、特に図３の例に限定されない。
【００６７】
また、機能ブロックの存在場所も、図３に限定されず、任意でよい。例えば、コンテンツ配信サーバ２の機能ブロックは、管理サーバ１、カード発行装置３、ユーザ端末４を含む図示せぬ他の装置に移譲されてもよい。その他の管理サーバ１、カード発行装置３、ユーザ端末４の各機能ブロックについても同様である。
また、１つの機能ブロックは、ハードウェア単体で構成してもよいし、ソフトウェア単体で構成してもよいし、それらの組み合わせで構成してもよい。
【００６８】
各機能ブロックの処理をソフトウェアにより実行させる場合には、そのソフトウェアを構成するプログラムが、コンピュータ等にネットワークや記録媒体からインストールされる。
【００６９】
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００７０】
このようなプログラムを含む記録媒体は、管理サーバ１にプログラムを提供するために管理サーバ１とは別に配布される、リムーバブルメディアにより構成されるだけではなく、管理サーバ１に予め組み込まれた状態で提供される記録媒体等で構成される。
【００７１】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【００７２】
また、本明細書において、システムの用語は、複数の装置や複数の手段等より構成される全体的な装置を意味するものである。
【００７３】
以上まとめると、本発明が適用される情報処理システムは、次のような構成を取れば足り、上述の実施形態を含め各種各様な実施形態を取ることができる。
【００７４】
即ち、本発明が適用される情報処理システムは、
媒体（例えば図３のカードＣ１乃至Ｃｍ）を介してコンテンツを提供する情報処理システムであって、
提供対象のコンテンツを一意に識別する第１識別子（例えば上述のコンテンツＩＤ）と、媒体を一意に識別する第２識別子（例えば上述のシリアルＩＤ）との組み合わせを媒体に付し、当該媒体（例えば図６の媒体Ｃ）を発行する媒体発行手段（例えば図３のカード発行部３０２）と、
発行された前記媒体に付された前記第１識別子と前記第２識別子との組合せを記憶するＩＤ組合せ記憶手段（例えば図３のＩＤ組合せＤＢ１１１）と、
所定コンテンツの専用ＵＲＬにより特定される専用ページにおいて、発行された前記媒体を保有するユーザによる、当該媒体に付された前記第２識別子の入力を受け付ける受付手段（例えば図３のＩＤ入力受付部４０２）と、
前記所定コンテンツの前記第１識別子と、前記受付手段により受け付けられた前記第２識別子との組合せが、前記ＩＤ組合せ記憶手段に記憶された前記第１識別子と前記第２識別子との組合せのうち、いずれかに一致するか否かを確認する組合せ確認手段（例えば図３のＩＤ組合せ確認手段１０５）と、
前記組合せ確認手段により一致が確認された場合、前記所定コンテンツの前記第１識別子と、前記受付手段により受け付けられた前記第２識別子を入力した前記ユーザを一意に識別する第３識別子（例えば上述のユーザＩＤ）とを関連付けて記憶するユーザ記憶手段（例えば図３のユーザＤＢ２１１）と、
を含めば足りる。
【００７５】
これにより、ユーザは、媒体を取得することにより、当該媒体を介して、所定コンテンツを購入して、ユーザが操作するスマートフォン等の携帯端末に容易にダウンロードさせたり再生させることができる。また、コンテンツの提供側は、コンテンツの購入状況をユーザ毎に管理することができる。
【００７６】
また、一枚の媒体によって購入可能なコンテンツの種類及び回数は１に制限することもできるため、コンテンツを提供する側の利益を確保することができる。
一方で、ユーザにとっては、購入済みの媒体であっても、コレクションとして保有することもできる。
【符号の説明】
【００７７】
１・・・  管理サーバ
２・・・  コンテンツ配信サーバ
３・・・  カード発行装置
４−１〜４−ｎ・・・  ユーザ端末
１１・・・  ＣＰＵ
１２・・・  ＲＯＭ
１３・・・  ＲＡＭ
１４・・・  バス
１５・・・  入出力インターフェース
１６・・・  出力部
１７・・・  入力部
１８・・・  記憶部
１９・・・  通信部
２０・・・  ドライブ
３１・・・  リムーバブルメディア
１０１・・・  コンテンツＩＤ取得部
１０２・・・  シリアルＩＤ付与部
１０３・・・  ＩＤ組合せ部
１０４・・・  コンテンツ購入サイト管理部
１０５・・・  シリアルＩＤ確認部
１１１・・・  ＩＤ組合せＤＢ
２０１・・・  購入受付部
２０２・・・  コンテンツ配信部
２１１・・・  ユーザＤＢ
２１２・・・  コンテンツＤＢ
２２１・・・  電子透かし埋込部
３０１・・・  ＩＤ組合せ取得部
３０２・・・  カード発行部
４０１・・・  操作部
４０２・・・  ＩＤ入力受付部
４０３・・・  コンテンツ再生制御部
４０４・・・  出力部
Ｕ１〜Ｕｎ・・・  ユーザ
Ｃ−１〜Ｃ−ｎ・・・  カード
Ｎ・・・  ネットワーク
【図１】
2017083938.tif 000003
【図２】
2017083938.tif 000004
【図３】
2017083938.tif 000005
【図４】
2017083938.tif 000006
【図５】
2017083938.tif 000007
【図６】
2017083938.tif 000008
【図７】
2017083938.tif 000009